(57)【要約】【課題】電力消費を抑制しつつセンサの誤動作を防止することが可能な電子機器、プログラム及び電子機器の制御方法を提供すること。【解決手段】本技術に係る電子機器は、起動部と、出力調整部とを具備する。起動部は、第１のセンサの出力に応じて第２のセンサを起動させる。出力調整部は、上記第２のセンサの出力に基づいて、第１のセンサの出力に応じた制御を変更する。【選択図】図２
2013122669.tif 000002
【特許請求の範囲】
【請求項１】
第１のセンサの出力に応じて、第２のセンサを起動させる起動部と、
前記第２のセンサの出力に基づいて、前記第１のセンサの出力に応じた制御を変更する制御変更部と
を具備する電子機器。
【請求項２】
請求項１に記載の電子機器であって、
前記第１のセンサは、導電体の接触又は近接を検出するセンサであり、
前記第２のセンサは、前記電子機器の角速度を検出するセンサである
電子機器。
【請求項３】
請求項２に記載の電子機器であって、
前記制御変更部は、前記電子機器の角速度から前記電子機器が静置されている静置状態と前記電子機器が静置されていない非静置状態を判定する判定部と、前記判定部の判定結果に応じて前記第１のセンサの出力に基づく制御信号を生成する制御信号生成部と
を有する電子機器。
【請求項４】
請求項２に記載の電子機器であって、
前記第２のセンサは、前記電子機器の姿勢をさらに検出し、
前記制御変更部は、前記電子機器の姿勢に応じて、前記判定部が前記静置状態と前記非静置状態の判定に用いるパラメータを調整するパラメータ設定部をさらに有する
電子機器。
【請求項５】
請求項４に記載の電子機器であって、
前記パラメータ設定部は、前記電子機器の姿勢が予め設定された姿勢のときには、前記パラメータを、前記静置状態と判定され易くなるパラメータに調整する
電子機器。
【請求項６】
請求項４に記載の電子機器であって、
前記パラメータ設定部は、前記電子機器の姿勢が一定時間変化しないときには、前記パラメータを、前記静置状態と判定され易くなるパラメータに調整する
電子機器。
【請求項７】
請求項１に記載の電子機器であって、
前記制御変更部は、前記第２のセンサの出力に応じて、前記第１のセンサの出力を調整する
電子機器。
【請求項８】
請求項１に記載の電子機器であって、
前記制御変更部は、前記第２のセンサの出力に応じて、前記第１のセンサの出力を遮断するか遮断しないかを切り替える
電子機器。
【請求項９】
請求項１に記載の電子機器であって、
前記制御変更部は、前記第２のセンサの出力に応じて、前記第１のセンサの出力に基づく制御に応じない
電子機器。
【請求項１０】
請求項２に記載の電子機器であって、
前記第１のセンサは、タッチパッドであり、
前記第２のセンサは、ジャイロセンサと加速度センサとを含む
電子機器。
【請求項１１】
第１のセンサの出力が入力されると、第２のセンサを起動させる起動部と、
前記第２のセンサの出力に基づいて、前記第１のセンサの出力に応じた制御を変更する制御変更部と
としてコンピュータを機能させるプログラム。
【請求項１２】
起動部が、第１のセンサの出力が入力されると、第２のセンサを起動させ、
制御変更部が、前記第２のセンサの出力に基づいて、前記第１のセンサの出力に応じた制御を変更する
電子機器の制御方法。
【発明の詳細な説明】
【技術分野】
【０００１】
本技術は、複数のセンサが搭載された電子機器、プログラム及び電子機器の制御方法に関する。
【背景技術】
【０００２】
タッチパッドは、近年多くの電子機器に搭載されており、操作子（ユーザの指やスタイラス）による接触あるいは近接によって操作が可能であるが、ボタン等の押下が必要でないことにより、ユーザの意図しない入力が発生する場合がある。
【０００３】
例えば、特許文献１には意図しない入力を防止するための機構を備えた撮像装置が開示されている。当該撮像装置は、表示パネルに操作ボタンが表示されており、ユーザが表示パネルの角度を調整する際に誤って操作ボタンに接触した場合であっても、表示パネルの傾動変位を検出して入力をキャンセルすることにより誤動作を防止する構成となっている。
【先行技術文献】
【特許文献】
【０００４】
【特許文献１】特開２００５−３９５８２号公報
【発明の概要】
【発明が解決しようとする課題】
【０００５】
しかしながら、特許文献１に記載の撮像装置においては、表示パネルの角度を検出する変位検出手段を常時起動させておく必要があり、表示パネルの誤動作防止のために電力消費が発生するという問題がある。
【０００６】
以上のような事情に鑑み、本技術の目的は、電力消費を抑制しつつセンサの誤動作を防止することが可能な電子機器、プログラム及び電子機器の制御方法を提供することにある。
【課題を解決するための手段】
【０００７】
上記目的を達成するため、本技術の一形態に係る電子機器は、起動部と、制御変更部とを具備する。
上記起動部は、第１のセンサの出力に応じて、第２のセンサを起動させる。
上記制御変更部は、上記第２のセンサの出力に基づいて、上記第１のセンサの出力に応じた制御を変更する。
【０００８】
この構成によれば、起動部が、第１のセンサの出力を受けて第２のセンサを起動させるため、第１のセンサに入力がされていないときには第２のセンサは電力を消費せず、第１のセンサの誤動作を防止することが可能である
【０００９】
上記第１のセンサは、導電体の接触又は近接を検出するセンサであり、上記第２のセンサは、上記電子機器の角速度を検出するセンサであってもよい。
【００１０】
本技術の構成によれば、導電体の接触又は近接の検出の出力の調整に電子機器の角速度を用いる電子機器において、電子機器の角速度を検出する第２のセンサの電力消費を防止することが可能である。
【００１１】
上記制御変更部は、上記電子機器の角速度から上記電子機器が静置されている静置状態と上記電子機器が静置されていない非静置状態を判定する判定部と、上記判定部の判定結果に応じて上記第１のセンサの出力に基づく制御信号を生成する制御信号生成部とを有してもよい。
【００１２】
電子機器が静置されている静置状態においては、第１のセンサが、電子機器が載置されている載置面の影響により誤動作を生じる場合がある。本技術の構成によれば、制御信号生成部が、上記第１のセンサの出力に基づいて制御信号を生成することにより、第１のセンサの誤動作を防止することが可能となる。
【００１３】
上記第２のセンサは、上記電子機器の姿勢をさらに検出し、上記制御変更部は、上記電子機器の姿勢に応じて、上記判定部が上記静置状態と上記非静置状態の判定に用いるパラメータを調整するパラメータ設定部をさらに有してもよい。
【００１４】
上述の角速度を用いて電子機器が静置状態にあるか非静置状態にあるかを判定する場合、例えば電子機器が静置されている際に振動を受けた場合に、電子機器が非静置状態にあると判断される可能性がある。このため、第２のセンサから得られる電子機器の姿勢の情報を利用して静置状態と非静置状態を判定するためのパラメータを調整することにより、電子機器の姿勢に応じてより正確に、第１のセンサの誤動作を防止することが可能となる。
【００１５】
上記パラメータ設定部は、上記電子機器の姿勢が予め設定された姿勢のときには、上記パラメータを、上記静置状態と判定され易くなるパラメータに調整してもよい。
【００１６】
この構成によれば、電子機器が静置されている可能性が高い姿勢、例えば水平面に載置されている姿勢やクレードルに搭載されている姿勢のときには、静置状態と判定され易くし、第１のセンサの誤動作を防止することが可能となる。
【００１７】
上記パラメータ設定部は、上記電子機器の姿勢が一定時間変化しないときには、上記パラメータを、上記静置状態と判定され易くなるパラメータに調整してもよい。
【００１８】
この構成によれば、電子機器の姿勢が一定時間変化しないときには、静置状態と判定され易くし、第１のセンサの誤動作を防止することが可能となる。
【００１９】
上記制御変更部は、上記第２のセンサの出力に応じて、上記第１のセンサの出力を調整してもよい。
【００２０】
この構成によれば、制御変更部が第１のセンサの出力を調整することにより、第１のセンサの誤動作を防止することが可能である。
【００２１】
上記制御変更部は、上記第２のセンサの出力に応じて、上記第１のセンサの出力を遮断するか遮断しないかを切り替えてもよい。
【００２２】
この構成によれば、制御変更部が第１のセンサの出力を遮断することにより、第１のセンサの誤動作を防止することが可能である。
【００２３】
上記制御変更部は、上記第２のセンサの出力に応じて、上記第１のセンサの出力に基づく制御に応じなくてもよい。
【００２４】
この構成によれば、制御変更部が上記第１の出力に基づく制御に応じないことにより、第１のセンサの誤動作を防止することが可能である。
【００２５】
上記第１のセンサはタッチパッドであり、上記第２のセンサは、ジャイロセンサと加速度センサとを含んでもよい。
【００２６】
この構成によれば、ジャイロセンサによって電子機器の角速度を検出し、加速度センサによって電子機器の姿勢（重力加速度の向き）を検出することが可能である。タッチパッドは静置状態において、接触又は近接する導電体の影響により誤動作を生じる可能性を有するが、本技術によれば静置状態においてその出力に応じた制御が変更されるため、誤動作が防止される。
【００２７】
上記目的を達成するため、本技術の一形態に係るプログラムは、起動部と、制御変更部とを具備する。
上記起動部は、第１のセンサの出力が入力されると、第２のセンサを起動させる。
上記制御変更部は、上記第２のセンサの出力に基づいて、上記第１のセンサの出力に応じた制御を変更する。
【００２８】
上記目的を達成するため、本技術の一形態に係る電子機器の制御方法は、起動部が、第１のセンサの出力が入力されると、第２のセンサを起動させる。
制御変更部が、上記第２のセンサの出力に基づいて、上記第１のセンサの出力に応じた制御を変更する。
【発明の効果】
【００２９】
以上のように、本技術によれば、電力消費を抑制しつつセンサの誤動作を防止することが可能な電子機器、プログラム及び電子機器の制御方法を提供することが可能となる。
【図面の簡単な説明】
【００３０】
【図１】本技術の実施形態に係る電子機器の構成を示す模式図である。
【図２】同電子機器の機能的構成を示すブロック図である。
【図３】同電子機器の動作を示すフローチャートである。
【図４】同電子機器の判定部が利用するパラメータを説明する概念図である。
【図５】本技術の他の適用例に係る電子機器の構成を示す模式図である。
【発明を実施するための形態】
【００３１】
本技術の実施形態に係る電子機器について説明する。
【００３２】
［電子機器の構成］
図１は、本実施形態に係る電子機器１の構成を示す模式図である。同図に示すように電子機器１は、筐体２にディスプレイ３及びタッチパッド４が搭載され、モーションセンサ５が内蔵されて構成されている。ディスプレイ３とタッチパッド４は、互いに筐体２の反対側に搭載されたものとすることができる。電子機器１は、例えば、ポータブル型のゲーム機である。
【００３３】
ディスプレイ３は、液晶ディスプレイや有機ＥＬ（Electro-Luminescence）ディスプレイ等の各種ディスプレイである。また、ディスプレイ３は、タッチパネルであってもよい。
【００３４】
タッチパッド４は、指やスタイラス等の導電体の接触又は近接を検出可能なものである。タッチパッド４は、静電容量方式、抵抗膜方式、表面弾性波方式、赤外線方式等の各種方式のタッチパッドであるものとすることができるが、後述する理由により本技術は、静電容量方式の場合に特に有効である。
【００３５】
モーションセンサ５は、電子機器１の姿勢及び動作を検出するセンサである。モーションセンサ５は、詳細は後述するが、ジャイロセンサ、加速度センサ及び地磁気センサの組み合わせによって構成されたものとすることができる。
【００３６】
ジャイロセンサは電子機器１の回転速度を検出するセンサであり、特に高速な動作を検出に適している。加速度センサは重力加速度を検出するセンサであり、水平面に対する電子機器１の傾斜角度（姿勢）を検出することができる。地磁気センサは、地磁気を検出するセンサであり、東西南北の絶対値を検出することができる。
【００３７】
したがって、ジャイロセンサを電子機器１の上下、左右、前後の3次元方向のそれぞれに一つづつ配置し、各ジャイロセンサと対になるように上下方向に地磁気センサ、前後左右方向に加速度センサを組み合わせる。これにより、電子機器１の高速な動作は加速度センサと地磁気センサをジャイロセンサによって補正することで検出することができ、電子機器１の低速な動作はジャイロセンサを加速度センサと地磁気センサによって補正することで検出することができる。
【００３８】
なお、ここに示すモーションセンサ５の構成は一例であり、電子機器１の姿勢及び動作を検出することが可能な他の構成とすることが可能である。
【００３９】
この他にも電子機器１には、入出力インターフェイス等の各種構成が搭載されているものとすることができる。
【００４０】
上記のように、タッチパッド４がディスプレイ３の反対側に搭載されている場合、ディスプレイ３を表側として電子機器１が載置された場合、タッチパッド４が載置面に接触あるいは近接することになる。それ以外にも、電子機器１におけるタッチパッド４の配置によっては、タッチパッド４が載置面に接触あるいは近接する場合がある。
【００４１】
ここで、タッチパッド４が静電容量方式のタッチパッドである場合、載置面が金属等の導電体であれば載置面との容量結合が生じ、タッチパッド４が誤動作を生じる場合がある。また、タッチパッド４が他の方式のタッチパッドである場合であっても、載置面との接触或いは近接によって誤動作を生じる場合がある。
【００４２】
本技術は、このように、電子機器１がユーザによって把持されておらず、載置されている場合において、載置面の影響によるタッチパッド４の誤動作の防止に利用することが可能なものである。
【００４３】
［電子機器の機能的構成］
図２は、電子機器１の機能的構成を示す模式図である。同図に示すように、電子機器１は筐体２に内蔵された制御部６を有し、タッチパッド４及びモーションセンサ５が制御部６に接続されたものとすることができる。制御部６は、プロセッサ、メモリ等のハードウェアと、それに読み込まれるソフトウェアの協働によって実現されるものとすることができる。
【００４４】
モーションセンサ５は、上記のように電子機器１の加速度を検出する加速度センサ５１と、電子機器１の角速度を検出するジャイロセンサ５２を有するものとすることができる。また、モーションセンサ５は、これ以外にも地磁気センサ等の他種のセンサを有するものであってもよい。
【００４５】
制御部６は、起動部６１と制御変更部６２を有する。起動部６１は、タッチパッド４及びモーションセンサ５と接続され、タッチパッド４の出力が入力されると、モーションセンサ５を起動させる。制御変更部６２は、モーションセンサ５の出力に応じて、タッチパッド４の出力に応じた制御を変更する。
【００４６】
具体的には、制御変更部６２は、パラメータ設定部６２１、判定部６２２及び制御信号生成部６２３を有する。これらの動作についての詳細は後述するが、パラメータ設定部６２１は加速度センサ５１に接続され、加速度センサ５１の出力に基づいて電子機器１の姿勢を判断する。パラメータ設定部６２１は、この姿勢に応じて予め定められているパラメータを判定部６２２に供給する。
【００４７】
判定部６２２は、ジャイロセンサ５２に接続され、ジャイロセンサ５２の出力に基づいて電子機器１の状態（静置状態か非静置状態か）を判定する。ジャイロセンサ５２はこの判定の際に、パラメータ設定部６２１により設定されたパラメータを用いる。判定部６２２は判定結果を制御信号生成部６２３に供給する。
【００４８】
制御信号生成部６２３は、判定部６２２の判定結果に基づいてタッチパッド４の出力に応じた制御を変更する。具体的には、制御信号生成部６２３は、電子機器１が静置状態にあればタッチパッド４の出力を遮断せず、電子機器１が非静置状態にあればタッチパッド４の出力を遮断するものとすることができる。また、制御信号生成部６２３は、判定部６２２の判定結果に基づいて、タッチパッド４の出力を調整し、又はタッチパッド４の出力に基づく制御に応じないものとすることができる。
【００４９】
［電子機器の動作］
電子機器１の動作について説明する。図３は電子機器１の動作を示すフローチャートである。
【００５０】
タッチパッド４の出力が起動部６１に入力される（Ｓｔ１：Ｙｅｓ）と、起動部６１はモーションセンサ５に電力を供給し、起動させる（Ｓｔ２）。一方、タッチパッド４の出力が起動部６１に入力されていないとき（Ｓｔ１：Ｎｏ）には、モーションセンサ５への電力供給が停止（Ｓｔ３）される。また、予めモーションセンサ５の電力が供給されていない場合にはそのままの状態が継続される。
【００５１】
これにより、モーションセンサ５の出力が必要でない場合には、モーションセンサ５への電力が供給されないため、電子機器１のバッテリの消耗を防止することが可能である。なお、起動部６１がモーションセンサ５を停止させる場合において、特に電力消費が大きいジャイロセンサ５２のみを停止させ、電力消費の小さい加速度センサ５１は継続して電力が供給されるものとすることも可能である。この場合、起動部６１は、タッチパッド４の出力が入力されるとジャイロセンサ５２のみを起動させるものとすることができる。
【００５２】
モーションセンサ５が起動された場合において、パラメータ設定部６２１が加速度センサ５１の出力から電子機器１の姿勢が「静置姿勢」にあるかどうかを判断する（Ｓｔ４）。静置姿勢は、電子機器１を静置したときの電子機器１の姿勢（向き）であり、例えばタッチパッド４が水平面と平行となる姿勢を静置姿勢とすることができる。また、静置姿勢は電子機器１の使用態様に応じて定めることができ、例えば電子機器１がスタンドやクレードルに設置されるものである場合には、これらに設置したときの電子機器１の姿勢を静置姿勢とすることができる。
【００５３】
また、パラメータ設定部６２１は、姿勢の継続時間から、電子機器１が静置姿勢にあると判断することも可能である。具体的には、同一の姿勢が一定時間継続する場合には、その姿勢を静置姿勢と判断するものとすることができる。また、後述のステップにおいて記録された情報から、現在の電子機器１の姿勢が静置姿勢であると判断することも可能である。
【００５４】
パラメータ設定部６２１は、電子機器１が静置姿勢にあると判断した場合（Ｓｔ４：Ｙｅｓ）には、第１パラメータを判定部６２２に設定する（Ｓｔ５）。また、パラメータ設定部６２１は、電子機器１が静置姿勢にないと判断した場合（Ｓｔ４：Ｎｏ）には、第２パラメータを判定部６２２に設定する（Ｓｔ６）。第１パラメータと第２パラメータの詳細については後述する。
【００５５】
判定部６２２は、第１パラメータ又は第２パラメータを用いて、電子機器１が静置状態にあるか非静置状態にあるかを判断する（Ｓｔ７）。図４はパラメータを説明するための概念図である。図４に示すように、ジャイロセンサ５２の出力は、各時刻における信号強度（Value)として得られる。判定部６２２は、図中に示すように、所定の時間ｔにおける信号強度の積分値を得る。判定部６２２は、ある時間ｔの積分値が所定の閾値を超えると、電子機器１が動かされたものとして非静置状態であると判定し、積分値がその閾値より小さいと電子機器１が動かされていないものとして静置状態であると判定する。
【００５６】
時間ｔを短くすると、瞬間的なピークであっても閾値を超え易く、非静置状態と判定され易くなる。また、閾値を小さくしても同様に非静置状態と判定され易くなる。即ち、この時間ｔの長さや閾値の大きさ、ヒステリシスがパラメータであり、パラメータを変化させることによって非静置状態の判定され易さが異なる。上記第１パラメータは非静置状態と判定され難いパラメータであり、第２パラメータは非静置状態と判定され易いパラメータである。
【００５７】
換言すれば、判定部６２２は、第１パラメータが供給された場合には、第２パラメータが供給された場合に比べて電子機器１が静置状態にあると判定しやすくなる。判定部６２２は第１パラメータ又は第２パラメータを用いて判定した電子機器１の状態（静置状態か非静置状態か）を制御信号生成部６２３に供給する。
【００５８】
制御信号生成部６２３は、判定部６２２の判定結果に基づいて制御信号を生成する。具体的には、制御信号生成部６２３は、静置状態と判定された場合（Ｓｔ７：Ｙｅｓ）には、タッチパッド４の出力を反映させることなく、制御信号を生成する（Ｓｔ８）。一方、制御信号生成部６２３は、非置状態と判定された場合（Ｓｔ７：Ｎｏ）には、タッチパッド４の出力を反映させて制御信号を生成する。即ち、電子機器１が静置状態にあると判定された場合にはタッチパッド４の出力は無視され、電子機器１が非静置状態にあると判定された場合にはタッチパッド４の出力が有効となる。
【００５９】
パラメータ設定部６２１は、電子機器１が静置姿勢にあることをメモリ等に記憶し（Ｓｔ９）、以降のパラメータ設定に利用するものとすることができる。
【００６０】
以上のように、制御信号生成部６２３が、電子機器１が静置状態であるときにはタッチパッド４の出力を無視することよりタッチパッド４の誤動作を防止することが可能である。電子機器１が静置状態であるときには、タッチパッド４は電子機器１の裏面側となり、ユーザに操作される可能性がないため、タッチパッド４の出力を無視してもユーザの利便性に影響はない。一方、ユーザが電子機器１を持ち上げると、非静置状態と判定され、タッチパッド４の出力が有効となるが、このときにはタッチパッド４と載置面が離間しているため、タッチパッド４の誤動作は発生しない。
【００６１】
さらに、パラメータ設定部６２１が、電子機器１の姿勢に応じて異なるパラメータを設定することにより次のような利点がある。仮に、電子機器１の姿勢に係わらず、同一のパラメータにより静置状態か非静置状態かを判定するものとする。この場合においては、電子機器１が静置されているときに、ユーザがタッチパネル（ディスプレイ３）等を操作すると、振動（角速度）が検出されて非静置状態と判定され、タッチパッド４の誤動作が発生するおそれがある。これに対し、本実施形態では、電子機器１の姿勢に応じて異なるパラメータを設定することにより非静置状態の判定を起こり難くし、電子機器１が静置姿勢にあるときのタッチパッド４の誤動作を防止することが可能となっている。
【００６２】
判定部６２２による電子機器１の状態の判定には、ある程度の時間が必要であるため、電子機器１を静置した直後に、載置面の影響による誤動作が発生する場合がある。このため、電子機器１において随時、直近の一連の操作の直前の状態、例えばアプリケーションの進捗状況等を保存しておき、静置状態と判定された場合にはその保存した状態まで復元することにより、誤動作を防止することも可能である。
【００６３】
また、タッチパッド４の出力をジェスチャーとして用いる場合には、その直近のジェスチャーの反対の動きのジェスチャーを発行することにより、電子機器１が静置された後のジェスチャーをキャンセルすることも可能である。
【００６４】
上記実施形態においては、ディスプレイの背面にタッチパッドが搭載された電子機器について説明したが、本技術はこれと異なる構成の電子機器についても適用することが可能である。図５は、本技術の他の適用例に係る電子機器１００を示す模式図である。電子機器１００には、図２に示したようなモーションセンサや制御部が搭載されているものとする。
【００６５】
図５に示すように、電子機器１００は、フレキシブルなシート状の筐体１０１とその両面に設けられた内側タッチパッド１０２及び外側タッチパッド１０３を有する。なお、内側タッチパッド１０２は筐体１０１を折り曲げた際に内側となるタッチパッドであり、外側タッチパッド１０３は筐体１０１を折り曲げた際に外側となるタッチパッドである。
【００６６】
筐体１０１が折り曲げられると、内側タッチパッド１０２は操作されないので、内側タッチパッド１０２への電源供給は停止される。筐体１０１が折り曲げられたかどうかは、電子機器１００に内蔵された検出センサによって検出することが可能である。
【００６７】
電子機器１００が載置面やクレードル等に載置されると、上記実施形態において説明したようにその姿勢からパラメータが設定され、電子機器１００が静置状態にあるか非静置状態にあるかが判定される。この際、外側タッチパッド１０３の領域のうち載置面側となる領域（以下、裏面領域）が検出され、この裏面領域が、上記タッチパッド４のように出力の切替を受けるタッチパッドとして扱われる。
【００６８】
即ち、電子機器１００においては、内側タッチパッド１０２への電源供給が遮断されて電力消費が防止されると共に、外側タッチパッド１０３の裏面領域の出力信号が電子機器１００の状態に応じて遮断され、載置面の影響による誤動作が防止されるものとすることができる。
【００６９】
本技術は、上記各実施形態にのみ限定されるものではなく、本技術の要旨を逸脱しない範囲内において変更することが可能である。
【００７０】
例えば、上記実施形態においては、タッチパッドやモーションセンサと制御部が同一の筐体に搭載されているものとして説明したがこれに限られず、タッチパッドやモーションセンサと制御部が異なる筐体に搭載されているものであってもよい。また、制御部はクラウド上のサーバに設けられているものとすることも可能である。
【００７１】
なお、本技術は以下のような構成も採ることができる。
【００７２】
（１）
第１のセンサの出力に応じて、第２のセンサを起動させる起動部と、
上記第２のセンサの出力に基づいて、上記第１のセンサの出力に応じた制御を変更する制御変更部と
を具備する電子機器。
【００７３】
（２）
上記（１）に記載の電子機器であって、
上記第１のセンサは、導電体の接触又は近接を検出するセンサであり、
上記第２のセンサは、上記電子機器の角速度を検出するセンサである
電子機器。
【００７４】
（３）
上記（１）又は（２）に記載の電子機器であって、
上記制御変更部は、上記電子機器の角速度から上記電子機器が静置されている静置状態と上記電子機器が静置されていない非静置状態を判定する判定部と、上記判定部の判定結果に応じて上記第１のセンサの出力に基づく制御信号を生成する制御信号生成部と
を有する電子機器。
【００７５】
（４）
上記（１）から（３）のうちいずれか一つに記載の電子機器であって、
上記第２のセンサは、上記電子機器の姿勢をさらに検出し、
上記制御変更部は、上記電子機器の姿勢に応じて、上記判定部が上記静置状態と上記非静置状態の判定に用いるパラメータを調整するパラメータ設定部をさらに有する
電子機器。
【００７６】
（５）
上記（１）から（４）のうちいずれか一つに記載の電子機器であって、
上記パラメータ設定部は、上記電子機器の姿勢が予め設定された姿勢のときには、上記パラメータを、上記静置状態と判定され易くなるパラメータに調整する
電子機器。
【００７７】
（６）
上記（１）から（５）のうちいずれか一つに記載の電子機器であって、
上記パラメータ設定部は、上記電子機器の姿勢が一定時間変化しないときには、上記パラメータを、上記静置状態と判定され易くなるパラメータに調整する
電子機器。
【００７８】
（７）
上記（１）から（６）のうちいずれか一つに記載の電子機器であって、
上記制御変更部は、上記第２のセンサの出力に応じて、上記第１のセンサの出力を調整する
電子機器。
【００７９】
（８）
上記（１）から（７）のうちいずれか一つに記載の電子機器であって、
上記制御変更部は、上記第２のセンサの出力に応じて、上記第１のセンサの出力を遮断するか遮断しないかを切り替える
電子機器。
【００８０】
（９）
上記（１）から（８）のうちいずれか一つに記載の電子機器であって、
上記制御変更部は、上記第２のセンサの出力に応じて、上記第１のセンサの出力に基づく制御に応じない
電子機器。
【００８１】
（１０）
上記（１）から（９）のうちいずれか一つに記載の電子機器であって、
上記第１のセンサは、タッチパッドであり、
上記第２のセンサは、ジャイロセンサと加速度センサとを含む
電子機器。
【００８２】
（１１）
第１のセンサの出力が入力されると、第２のセンサを起動させる起動部と、
前記第２のセンサの出力に基づいて、前記第１のセンサの出力に応じた制御を変更する制御変更部と
としてコンピュータを機能させるプログラム。
【００８３】
（１２）
起動部が、第１のセンサの出力が入力されると、第２のセンサを起動させ、
制御変更部が、前記第２のセンサの出力に基づいて、前記第１のセンサの出力に応じた制御を変更する
電子機器の制御方法。
【符号の説明】
【００８４】
１…電子機器
４…タッチパッド
５…モーションセンサ
６…制御部
５１…加速度センサ
５２…ジャイロセンサ
６１…起動部
６２…制御変更部
【図１】
2013122669.tif 000003
【図２】
2013122669.tif 000004
【図３】
2013122669.tif 000005
【図４】
2013122669.tif 000006
【図５】
2013122669.tif 000007